(57)【要約】【課題】鍼灸針を数える場合は数え間違い、記憶違いをなくし、抜き忘れ事故を防止すること。鍼皿内での鍼灸針の移動をなくし、鍼灸針を自分に刺す針刺し事故を防止すること。また移動して再度または他の人に鍼皿内の鍼灸針を計数してもらう場合、一目で鍼数が分かるようにすること。鍼灸針の鍼皿外部への脱出による汚染・感染・落下・紛失事故を防止すること。【解決手段】複数の鍼灸針１００を収納部２１０に入れ、収納部２１０内の複数ある溝２３０の谷２３１に１対１で収納するよう鍼灸針１００を転がして並べて保持させる。溝２３０または溝２３０周辺に設けた目印２４０で鍼灸針１００を計数し、鍼数管理を可能とする構造を有することを特徴とするカウンタ付き鍼皿。【選択図】図２
2013138814.tif 000002
【特許請求の範囲】
【請求項１】
複数の鍼灸針１００を収納部２１０に入れ、前記収納部２１０の複数の溝２３０の谷２３１において、前記谷２３１部１本に対し前記鍼灸針１００を１本収納するように、前記鍼灸針１００を転がして前記谷２３１に連続して並べて保持させ、前記溝２３０または前記溝２３０周辺に設けた目印２４０を使用して前記鍼灸針１００を計数し、鍼数管理を可能とする構造を有することを特徴とするカウンタ付き鍼皿。
【発明の詳細な説明】
【技術分野】
【０００１】本発明は、鍼灸針を鍼皿に収納や分離や保持する構造、鍼灸針を計数する機能と構造、鍼灸針の汚染・感染・落下・紛失事故を防止する構造、鍼刺し事故や抜き忘れ事故を防止する構造、鍼皿の滑りを防止する構造の技術に関するものである。
【背景技術】
【０００２】従来の一般的な使用後の鍼灸針の数え方は以下の通りである。
患部に刺さった鍼灸針を手で抜く。
抜いた鍼灸針を全て鍼皿に入れる。
鍼皿に入った鍼数をカウントする。
移動して他の人が鍼数をカウントする。
鍼皿を傾斜し、鍼灸針を落下させて廃棄する。【０００３】上記のように鍼灸針を鍼皿に入れて１本ずつ数える方法では、鍼皿内で鍼灸針が転がるまたは動くため数え間違いや記憶違いが生じ、抜き忘れ事故が起きていた。
同様に鍼皿内で鍼灸針が動くことで、鍼灸針を自分に刺す鍼刺し事故が起きていた。また移動して再度または他の人が鍼皿内の鍼灸針を計数する場合は、始めから数えていた。
鍼灸針が鍼皿外部に脱出することで、汚染・感染・落下・紛失事故が起きていた。
以上より、この方法では安全面・衛生面に問題があった。
【先行技術文献】
【特許文献】
【０００４】以下に特許文献による従来技術に関して述べる。
例えば特開２００３−２３５９１３及び特開２００３−０６１９７８では、針は１本ずつ保持する容器であるが、針を１本ずつ入れる構造で、一度に複数の針を容器に入れてから保持する構造でない。またマグネットは鋼鉄しか保持しない。
特開２００２−２３８９１０では、マグネットや接着テープを使用して針を固定する構造で、廃棄の際は針を取り外さなければならない。本発明は容器を傾けるだけで廃棄できる。
特開２００１−２２４６０３では、スポンジに針を取り付け固定する構造で、廃棄の際は針が付いたスポンジごと廃棄しなければならない。本発明は針のみ廃棄できる。【０００５】以上より、鍼灸治療において鍼灸針の汚染・感染・落下・紛失事故、抜き忘れ事故、針刺し事故をなくす方法として従来技術には問題点があり、鍼灸針を保持する容器としては不十分であることが分かる。
【特許文献１】特開２００３−２３５９１３
【特許文献２】特開２００３−０６１９７８
【特許文献３】特開２００２−２３８９１０
【特許文献４】特開２００１−２２４６０３
【発明の概要】
【発明が解決しようとする課題】
【０００６】本発明が解決しようとする課題及び目的を以下に示す。
鍼灸針を数える場合は数え間違い、記憶違いをなくし、抜き忘れ事故を防止すること。
鍼皿内での鍼灸針の移動をなくし、鍼灸針を自分に刺す針刺し事故を防止すること。また移動して再度または他の人に鍼皿内の鍼灸針を計数してもらう場合、一目で鍼数が分かるようにすること。
鍼灸針の鍼皿外部への転がり、汚染・感染・落下・紛失を防止すること。
【課題を解決するための手段】
【０００７】本発明は、複数の鍼灸針１００を収納部２１０に入れ、前記収納部２１０の複数の溝２３０の谷２３１において、前記谷２３１部１本に対し前記鍼灸針１００を１本収納するように、前記鍼灸針１００を転がして前記谷２３１に連続して並べて保持させ、前記溝２３０または前記溝２３０周辺に設けた目印２４０を使用して前記鍼灸針１００を計数し、鍼数管理を可能とする構造を有することを特徴とするカウンタ付き鍼皿を構成するものである。
【発明の効果】
【０００８】以下に本発明の効果を示す。
鍼灸針の数え間違い、記憶違いをなくして抜き忘れ事故を防止できる。
鍼灸針の鍼皿内の移動をなくして針刺し事故を防止できる。また鍼皿を移動して再度鍼皿内の鍼灸針を数える場合は、一目で鍼灸針を計数できる。
鍼灸針の鍼皿外部への転がり、汚染・感染・落下・紛失を防止できる。
【図面の簡単な説明】
【０００９】
【図１】鍼灸針の概略斜視図である。
【図２】本発明の上面斜視図である。
【図３】本発明の裏面斜視図である。
【図４】鍼灸針を数えるまでの工程を示した概略斜視図である。
【図５】鍼灸針を収納した上面図である。
【図６】鍼灸針を収納した鍼柄側の側面図である。
【図７】本発明の実用例を示した図である。
【発明を実施するための形態】
【００１０】本発明の使用後の鍼灸針の数え方は以下の通りである。
患部に刺さった鍼灸針を手で抜く。
抜いた鍼灸針を鍼皿に入れる。
全ての抜いた鍼灸針を鍼皿に入れる。
鍼皿に入った鍼灸針の鍼柄を指で転がし、溝に入れる。
端の溝から溝１本に対し鍼灸針１本を収納する。
鍼皿の目印で鍼数をカウントする。
移動して他の人が鍼数をカウントする。
鍼皿を傾斜し、鍼灸針を落下させて廃棄する。
【００１１】以下に本発明の好適な実施例を図面に基づいて説明する。
【実施例】
【００１２】図１より鍼灸針１００を説明する。
鍼灸針１００は、手または指で持つ鍼柄１１０と、患部に挿入する鍼体１２０と、鍼体１２０の先端部の尖った鍼尖１３０で構成される。【００１３】図２は本発明の鍼皿２００である。
鍼皿２００は鍼灸針１００を収納する収納部２１０と、鍼灸針１００の外部への転がり、汚染・感染・落下・紛失を防止する縁２２０と、収納部２１０内で鍼灸針１００を保持する溝２３０と、鍼灸針１００をカウントする目印２４０からなる。【００１４】図３は本発明の鍼皿２００の底面である。
収納部２１０の溝裏部２３５は凹凸構造を作り、鍼皿２００を濡れたテーブルなど摩擦の少ない場所に置いたときの滑りを防止する。【００１５】図４は鍼灸針１００を計数する工程を示す。
図４左図のように、複数の鍼灸針１００の鍼柄１１０を一方向に揃えて鍼皿２００の端の方に収納し、指３００で鍼柄１１０部を反対側の端に向って転がす。
転がしていくと図４右図のように、収納部２１０の各溝２３０において谷２３１部１本に対し鍼灸針１００を１本ずつ１対１の割合で収納する。
全ての鍼灸針１００は収納部２１０の谷２３１に連続して収納され、均一に並ぶ。【００１６】図５は収納部２１０に鍼灸針１００が均一に並んだ状態である。
目印２４０である溝２３０にある印Ａ２４１及び、溝２３０付近にある印Ｂ２４２を使用して鍼灸針１００を計数する。【００１７】図６のように、谷２３１と、山２３２で構成された溝２３０で鍼灸針１００を１本ずつ連続して均一に並べて保持する。山２３２は鍼灸針１００の横滑りを防止し、鍼皿２００に振動を与えても鍼灸針１００を谷２３１に保持させる。そのため再度または移動して鍼数確認する場合でも、鍼灸針１００を谷２３１に保持した状態にあるため、容易に計数できる。
また鍼皿２００内の鍼灸針１００は固定されていないため、鍼皿２００を傾けて鍼灸針１００のみ落下させて廃棄することができる。【００１８】図７は、鍼灸針１００を２０本収納する鍼皿２００である。目印２４０の印Ａ２４１は５本目、１０本目、１５本目の位置に５間隔で３本あり、マーカーラインで他の溝２３０の山２３２と区別している。印Ｂ２４２は数字を使用し一目で鍼灸針１００を計測できるようにしている。【００１９】以下に本発明の応用例を示す。
目印２４０の印Ａ２４１は、溝２３０上にあればよく、連続せず溝２３０の間隔が２つ以上離れていればいくつあってもよい。またマーカーラインは勿論、凹凸、幅の太さ、色、マークなどで他の溝２３０と区別が付けばよい。
目印２４０の印Ｂ２４２は、全ての溝２３０に設置してもよい。印Ａ２４１と無関係に設置してもよい。また三角印は勿論、数字、文字、矢印、マーク、凹凸などでもよい。
鍼皿２００の材質は金属、樹脂、紙、ゴムなどの硬性または軟性のもので、形状を保持できるものであればよい。
【産業上の利用可能性】
【００２０】以上の説明では主として本発明者によってなされた発明を、その背景となった利用分野である医師及び鍼灸師による鍼灸治療で使用する鍼灸針１００に適用した場合について述べたが、この発明はそれに限定されるものではなく、鍼灸針１００が固体で硬質なものは勿論、軟質なもの、治療用具に限らず棒状のもので保持することが可能なもの全般に利用することができる。
【符号の説明】
【００２１】１００・・・鍼灸針
１１０・・・鍼柄
１２０・・・鍼体
１３０・・・鍼尖
２００・・・鍼皿
２１０・・・収納部
２２０・・・縁
２３０・・・溝
２３１・・・谷
２３２・・・山
２３３・・・溝頭部
２３４・・・溝側部
２３５・・・溝裏部
２４０・・・目印
２４１・・・印Ａ
２４２・・・印Ｂ
３００・・・指
【図１】
2013138814.tif 000003
【図２】
2013138814.tif 000004
【図３】
2013138814.tif 000005
【図４】
2013138814.tif 000006
【図５】
2013138814.tif 000007
【図６】
2013138814.tif 000008
【図７】
2013138814.tif 000009